(57)【要約】      （修正有）【課題】URLに合致するサイトの位置と検索時のヒット率を地図上にイメージを用いて表示することを可能とすること、又ホームページをある地点からの距離範囲条件で検索することを可能とする。【解決手段】登録者端末３から、ウェブサイトのアドレスとカテゴリ等の情報と地図情報システムから得られるウェブサイト発信者の地図座標データを、情報登録部１３からカテゴリデータベース部１５に登録する。検索者端末２から、キーワード、カテゴリ等による検索を行った際、ウェブデータベース１９およびカテゴリデータベース１５を用いた検索結果から、アドレス・座標軸同期処理部２２にて位置座標データ等の登録情報を得、距離計算処理部２６による距離計算および距離による絞り込みと、位置イメージ処理部１０による結果の視覚化処理を行うことで、検索結果のURLに合致するサイト位置と検索ヒット率を地図上にイメージを用いて表示する。【選択図】図１
2006228072.tif 000002
【特許請求の範囲】
【請求項１】
通信ネットワーク上に存在する複数のウェブサイトと複数の端末とが通信ネットワークを介してサーチエンジンサーバーに接続されて成る地図情報システム連動サーチエンジンサーバーシステムであって、
前記複数のウェブサイトは、通信ネットワーク上に無数に発信されているウェブサイトであって、
前記複数の端末は、通信ネットワークを介して前記サーチエンジンサーバーに情報登録を
行なう登録者端末と該サーチエンジンサーバーに登録された情報を検索する検索者端末から成り、
前記サーチエンジンサーバーは、
通信ネットワーク上の前記登録者端末からのウェブ情報入力と前記検索者端末へのウェブ情報出力を処理するウェブ表示処理部と、
地図検索入力部と地図検索処理部と地図データベースと位置イメージ処理部で構成され、地図検索処理と前記ウェブサイトの発信位置の指定と該発信位置のイメージ表示を可能とする地図情報システム部と、
前記ウェブサイト発信位置の地図座標データの取得と該ウェブサイトのアドレスとカテゴリを登録処理する情報登録部と、
前記ウェブサイトのカテゴリの分類システムを有し、カテゴリ分類表示とカテゴリ選択信号入力と該カテゴリ選択信号のデータ変換を処理するカテゴリ処理部と、
前記ウェブサイトのアドレスと前記ウェブサイト発信位置の地図座標データと前記カテゴリ選択信号のデータベースであるカテゴリデータベースと、
前記情報登録部から登録された前記ウェブサイトのアドレスに対応した通信ネットワーク上に存在するウェブサイトに対してサーチエンジンロボットが起動し、
ウェブデータ収集処理を行なうウェブデータ収集処理部と、
該ウェブデータ収集処理部に収集されたウェブデータの語句解析を行なう語句解析部と、
語句解析された該ウェブデータの重み処理を行なう重み処理部と、
該ウェブデータに語句解析と重み処理を行なったウェブデータが蓄積されるウェブデータベースと、
前記検索者端末から前記ウェブデータベースと前記カテゴリデータベースへの検索信号の入出力処理をする検索処理部と、
前記ウェブデータベースへの検索処理とデータ付加処理をするキーワード検索部と
前記ウェブデータベース部から検索されたページ内の重みを集計処理する検索結果重み計算処理部と、
前記検索結果重み計算処理部で処理されたデータが前記カテゴリデータベースに同期し、
前記複数の検索結果である複数のウェブサイトアドレスと該ウェブサイトの発信位置である地図上の複数の位置座標を同期処理するアドレス・座標軸同期処理部と
前記カテゴリデータベースへの検索処理とデータ付加処理をするカテゴリ検索部と
前記ウェブサイトの発信位置である地図上の複数の位置座標間の距離計算処理を行なう
距離計算処理部を有することを特徴とする地図情報システム連動サーチエンジンサーバーシステム。
【請求項２】
前記地図情報システム部の検索入力部は、
前記登録者端末から前記サーチエンジンサーバーに登録をするウェブサイトの発信場所を
地図上で特定するための情報を前記ウェブ表示処理部を経由して入力処理し、
入力信号を前記地図検索処理部に送信し、
該地図検索処理部は、前記ウェブサイトの発信場所を前記地図データベースから検索処理し、
該ウェブ表示処理部を経由して該登録者端末に該ウェブサイトの発信場所を地図表示し、
該登録者端末から、該地図表示された地図上で該ウェブサイトの発信位置を地図地点指定することによって該ウェブサイトの発信位置の地図座標データを取得し、
該ウェブ表示処理部を経由して前記情報登録部に該地図座標データを送信し、
該ウェブ表示処理部は、前記登録者端末からの前記ウェブサイトの発信位置の地図地点指定信号を受信すると同時にウェブサイトのアドレス入力とカテゴリ入力の登録フォーマット画面を起動させ、
前記情報登録部は、該登録者端末から該登録フォーマット画面に入力された登録するウェブサイトアドレスデータとカテゴリデータと前記地図座標データを前記カテゴリデータベースに登録処理し、
該カテゴリデータベースへの登録処理と同時に該ウェブサイトアドレスを前記ウェブデータ収集処理部に送信し、
該ウェブデータ収集処理部は、該ウェブサイトアドレスに対してサーチエンジンロボットを起動し、通信ネットワーク上に存在する該ウェブサイトの情報収集を行なうことを可能とすることを特徴とする請求項１記載の地図情報システム連動サーチエンジンサーバーシステム。
【請求項３】
前記カテゴリデータベースへの前記検索者端末からのカテゴリウェブサイト検索は、カテゴリ検索画面を前記ウェブ表示処理部から通信ネットワークを介して該検索者端末に表示し、
該検索者端末から該カテゴリ検索画面へのカテゴリ検索入力信号を、
該ウェブ表示処理部から前記検索処理部と前記カテゴリ検索部を順次経由して前記カテゴリデータベースへ送信し、
該カテゴリデータベースからのウェブサイト検索結果一覧データを、前記距離計算処理部を経て、
前記検索処理部から前記ウェブ表示処理部へ送信し、
同時に、該カテゴリデータベースから得られたウェブサイトの検索結果の座標データとウェブサイトアドレスデータを、前記カテゴリ検索部から前記距離計算処理部を順次経由して、
前記地図情報システム部の前記位置イメージ処理部に送信し、
該位置イメージ処理部で前記ウェブサイトの発信位置を地図地点イメージ表示処理し、
該イメージ表示処理したデータを前記地図検索処理部に送信し、
該地図検索処理部で地図検索処理し、
地図検索処理されたデータを前記ウェブ表示処理部に送信し、
該ウェブ表示処理部で該地図検索処理されたデータと前記ウェブサイト検索結果一覧データを同一ウェブ画面上にウェブ表示処理し、
前記検索者端末に該ウェブサイト検索結果一覧データと該ウェブサイトの発信位置を表示した地図画面を同時に表示することを可能とすることを特徴とする請求項１〜２のいずれかに記載の地図情報システム連動サーチエンジンサーバーシステム。
【請求項４】
前記ウェブデータベースへの前記検索者端末からのウェブデータ検索は、キーワード検索入力画面を前記ウェブ表示処理部から通信ネットワークを介して該検索者端末に表示し、
該キーワード検索入力画面へのキーワード検索入力信号を、該検索者端末から該ウェブ表示処理部と前記検索処理部と前記キーワード検索部を順次経由して前記ウェブデータベースへ送信し、
前記ウェブデータベースからのウェブデータの検索結果を前記キーワード検索部から前記検索結果重み計算処理部に送信し、
該検索結果重み計算処理部で該ウェブデータの検索結果のページ内の重みを集計処理し、
該重み計算処理されたウェブデータを前記アドレス・座標軸同期処理部に送信し、
該アドレス・座標軸同期処理部にて、ウェブデータに対応するウェブサイトアドレスおよび地図座標データを前記カテゴリデータベースから取得し、該ウェブサイトアドレスおよび該地図座標データを付加したウェブデータの情報を前記カテゴリ検索部を経由して前記距離計算処理部に送信し、
該距離計算処理部にて距離情報を付与されたウェブデータを、ウェブサイト検索結果一覧データとして前記検索処理部を経由して前記ウェブ表示処理部に送信し、
同時に、該距離計算処理されたウェブデータを前記位置イメージ処理部に送信し、
該位置イメージ処理部は、前記ウェブサイトの発信位置の地図地点イメージ表示処理と前記重み計算処理されたウェブデータの重み評価に応じた重みイメージ表示処理を同時にイメージ表示処理し、
該イメージ表示処理された信号を前記地図検索処理部に送信し、
該地図検索処理部で地図検索処理し、該地図検索処理データを前記ウェブ表示処理部に送信し、
該ウェブ表示処理部で該地図検索処理データと前記ウェブサイトの検索結果一覧データを同期ウェブ表示処理し、
前記検索者端末に該ウェブサイトの検索結果一覧データと該ウェブサイトの発信位置と重みイメージを表示した地図画面を同時に表示することを可能とすることを特徴とする請求項１〜３のいずれかに記載の地図情報システム連動サーチエンジンサーバーシステム。
【請求項５】
前記検索者端末からの前記カテゴリ検索において、
該検索者端末のウェブ表示部に表示される検索入力画面に該カテゴリ検索の検索データを入力し、
同時に、検索入力画面上に表示されている地図画面上の中心点の地図座標データを検索基準点座標データとして取得し、
該カテゴリ検索の入力データに該地図画面上の中心点の検索基準点座標データを付加することを可能とし、
該検索基準点座標データが付加された該カテゴリ検索の入力データを前記カテゴリ検索部に送信し、
該カテゴリ検索部は、前記カテゴリ処理部を経由して前記カテゴリデータベースから検索されるウェブサイトの検索結果データに検索基準点座標データを付加することを可能とすることを特徴とする請求項１〜４のいずれかに記載の地図情報システム連動サーチエンジンサーバーシステム。
【請求項６】
前記検索者端末からのウェブデータベースへの前記キーワード検索において、
該検索者端末のウェブ表示部に表示される検索入力画面に該キーワード検索の検索データを入力し、
同時に、検索入力画面上に表示されている地図画面上の中心点の地図座標データを検索基準点座標データとして取得し、
該キーワード検索の入力データに該地図表示画面上の中心点の検索基準点座標データを付加することを可能とし、
該検索基準点座標データが付加された該キーワード検索の入力データを前記キーワード検索部に送信し、
該キーワード検索部は、前記ウェブデータベースから検索されるウェブサイトの検索結果データに該検索基準点座標データを付加することを可能とすることを特徴とする請求項１〜５のいずれかに記載の地図情報システム連動サーチエンジンサーバーシステム。
【請求項７】
前記位置イメージ処理部は、
サイト位置座標データの付加された前記カテゴリ検索のウェブサイト検索結果データ又は前記アドレス・座標軸同期処理部でサイト位置座標データの付加された前記ウェブデータベースのウェブページ検索結果データを前記距離計算処理部を経由して受信し、
該カテゴリ検索のウェブサイト検索結果データ又は該ウェブデータベースのウェブページ検索結果データの発信位置の地図座標地点に発信地点イメージの表示を可能とすることを特徴とする請求項１〜６のいずれかに記載の地図情報システム連動サーチエンジンサーバーシステム。
【請求項８】
前記位置イメージ処理部は、
前記ウェブデータベースの検索結果に対して重み計算処理した前記検索結果重み計算処理部からの重み計算処理データに、前記アドレス・座標軸同期処理部で前記カテゴリデータベースとの同期処理により発信位置の座標データが付加された検索結果データを、
前記アドレス・座標同期処理部から前記距離計算処理部を経由して受信し、
該ウェブデータの発信位置の地図座標に対応した地図地点に前記重み計算処理データに対応する重みの評価イメージをイメージ表示処理することを可能とすることを特徴とする請求項１〜７のいずれかに記載の地図情報システム連動サーチエンジンサーバーシステム。
【請求項９】
前記距離計算処理部は、
前記検索者端末からの前記カテゴリ検索又は前記検索者端末からのウェブデータベースへの前記キーワード検索において、
検索データの入力時に同時に取得される前記検索基準点位置の地図座標データと
前記地図画面が表示されるウェブ画面上から入力される該検索基準点位置を基準としたウェブサイトの検索範囲の距離条件である検索範囲距離データと、
前記アドレス・座標軸同期処理部から受信される前記キーワード検索ウェブデータ又は前記カテゴリ検索の座標データが付加されたカテゴリ検索データの座標間の距離を計算処理することを可能とすることを特徴とする請求項１〜８のいずれかに記載の地図情報システム連動サーチエンジンサーバーシステム。
【請求項１０】
前記距離計算処理部は、
前記検索者端末からの前記カテゴリ検索又は前記検索者端末からのウェブデータベースへの前記キーワード検索において、
検索データの入力時に同時に取得される前記検索基準点位置の地図座標データと
前記アドレス・座標軸同期処理部から受信される発信位置の座標データが付加された前記キーワード検索ウェブデータ又は前記カテゴリ検索の座標データが付加されたカテゴリ検索データの発信位置座標データとの座標間の距離を計算処理し、
該距離計算処理データを前記検索処理部から前記ウェブ表示処理部を経由して前記検索者端末に送信し、
前記検索者端末に近距離順のウェブサイト検索結果一覧表示するウェブ表示処理を可能とすることを特徴とする請求項１〜９のいずれかに記載の地図情報システム連動サーチエンジンサーバーシステム。
【請求項１１】
前記距離計算処理部は、
前記検索者端末からの前記カテゴリ検索又は前記検索者端末からのウェブデータベースへの前記キーワード検索において、
検索データの入力時に取得される前記検索基準点位置の地図座標データと
前記アドレス・座標軸同期処理部から受信される発信位置の座標データが付加された前記キーワード検索ウェブデータ又は前記カテゴリ検索の座標データが付加されたカテゴリ検索データの発信位置座標データとの座標間の距離を計算処理し、
該距離計算処理データを前記検索処理部から前記ウェブ表示処理部を経由して前記検索者端末に送信し、該ウェブサイト検索結果一覧表示の表示項目に前記検索基準点位置から前記検索結果のウェブサイトの位置までの距離を数値表示するウェブ表示処理を可能とすることを特徴とする請求項１〜１０のいずれかに記載の地図情報システム連動サーチエンジンサーバーシステム。
【請求項１２】
前記距離計算処理部は、
前記検索者端末からの前記カテゴリ検索又は前記検索者端末からのウェブデータベースへの前記キーワード検索において、
検索データの入力時に同時に取得される前記検索基準点位置の地図座標データと
前記地図画面が表示されるウェブ画面上から入力される該検索基準点位置を基準としたウェブサイトの検索範囲の距離条件である検索範囲距離データと、
前記アドレス・座標軸同期処理部から受信される発信位置の座標データが付加された前記キーワード検索ウェブデータ又は前記カテゴリ検索の座標データが付加されたカテゴリ検索データの座標間の距離を計算処理し、
該検索基準点位置からの距離範囲の条件に合致した検索データを出力し、
該検索データを前記検索処理部から前記ウェブ表示処理部を経由して前記検索者端末に送信し、
前記検索者端末に検索距離範囲の条件に合致した近距離順のウェブサイト検索結果一覧表示を可能とすることを特徴とする請求項１〜１１のいずれかに記載の地図情報システム連動サーチエンジンサーバーシステム。
【請求項１３】
前記サーチエンジンサーバーシステムは、境界線判定処理部を有し、
前記検索者端末のウェブ表示部に表示される検索画面の地図表示画面上において、
特定の範囲をマウスで指定し、
特定範囲指定地図境界線座標データを取得し、
前記ウェブデータベース又は前記カテゴリデータベースへの検索に対して入力する検索データに該特定範囲指定地図境界線座標データを付加して前記キーワード検索部又は前記カテゴリ検索部に送信し、
該キーワード検索部又は該カテゴリ検索部で、
該ウェブデータベース又は該カテゴリデータベースからの検索結果にたいして該特定範囲指定地図境界線座標データを付加し、
前記境界線判定処理部に送信し、
該特定範囲指定地図境界線座標データを条件として、境界線座標データ範囲内に存在するウェブデータの検索結果を出力処理し、
前記検索処理部と前記ウェブ表示処理部とを順次経由して前記検索者端末に一覧表示することを可能とすることを特徴とする請求項１〜１２のいずれかに記載の地図情報システム連動サーチエンジンサーバーシステム。
【請求項１４】
前記サーチエンジンサーバーシステムは、前記境界線判定処理部と境界線データベースを有し、
前記検索者端末のウェブ表示部に地図画面が表示されている検索画面上において、地域名を選択指定することによって地域名データが前記ウェブデータベース部又は前記カテゴリデータベースへの検索入力データに付加され、前記キーワード検索部又は前記カテゴリ検索部に送信し、
該キーワード検索部又は該カテゴリ検索部で、
前記ウェブデータベース又は前記カテゴリデータベースからの検索結果データに対して該地域名データを付加し、
前記境界線判定処理部に送信し、
該境界線判定処理部で該地域名データに該当する地図境界線データを境界線データベースから出力し、
該地域名境界線座標データを条件として、該地域名境界線座標データ範囲内に存在する検索結果を出力処理し、
前記検索処理部と前記ウェブ表示処理部とを順次経由して前記検索者端末に一覧表示することを可能とすることを特徴とする請求項１〜１３のいずれかに記載の地図情報システム連動サーチエンジンサーバーシステム。
【請求項１５】
前記特定範囲指定地図境界線座標データ及び前記地域名境界線座標データは、前記境界線判定処理部から前記距離計算処理部を経由して前記位置イメージ処理部に送信され、
該位置イメージ処理部は、
該特定範囲指定地図境界線座標データ及び該地域名境界線座標データの地図上の範囲を半透明色のカラーレイヤー表示処理することを可能とし、
前記地図検索処理部と前記ウェブ表示処理部とを順次経由して前記検索者端末のウェブ画面上に地図表示することを可能とすることを特徴とする請求項１〜１４のいずれかに記載の地図情報システム連動サーチエンジンサーバーシステム。
【発明の詳細な説明】
【技術分野】
【０００１】
本発明は、インターネット等の通信回線を利用し、ウェブ上に表示される地図検索システムの地図表示画面上から位置指定し、検索対象となるウェブサイトのアドレスやカテゴリを登録可能とし、その登録されたアドレスに対してサーチエンジンが収集したデータをデータベース化して、利用者がそのデータベースを検索する場合に、検索結果が重み順に検索されると同時にそのウェブサイト発信位置が地図上に表示され、その位置上にその重みの評価基準に合わせたイメージデータが表示されることを可能とするウェブサイトサーチエンジンサーバーシステムに関するものである。なお、本願の明細書及び図面中では、「ウェブ」を「Ｗｅｂ」（World Wide Webの略称）、「アドレス」を「URL」、「地図情報システム」をGIS(Geographical Information Systemsの略称)とも記載する。
【背景技術】
【０００２】
近年、インターネット等の通信回線が発達した社会において、インターネットを介したホームページやGIS等のウェブ情報発信が行なわれている。そのウェブ情報を閲覧するためには、直接そのウェブサイトのアドレスを入力する方法やハイパーテキストによるリンクの方法等があるが、一般的にインターネット上の情報を検索するためのサーチエンジンシステムが利用されている。インターネットでウェブサイトを検索する場合には、サーチエンジンシステムの運営サイトで予め用意されている検索ジャンルで検索する方法や検索窓に任意の検索キーワードを入力し該当するページの結果が表示される方法が利用されている。
【０００３】
さらに、サーチエンジンシステムには、予めホームページのアドレスをジャンルやキーワード等とともに登録し検索を可能とするディレクトリー型（登録型）とサイトのデータを人の手によってデータベースに登録するのではなく、「ロボット」と呼ばれるプログラムによって自動的にウェブからデータが収集されるデータベースから検索を可能とするロボット型（全文検索型）の検索エンジンシステムがあり、インターネット上の情報検索に利用されている。
ディレクトリー型（登録型）の検索エンジンの場合には、「サイト単位」でデータが登録されており、ロボット型（全文検索型）の検索エンジンの場合には「ページ単位」でのデータ登録である。
【発明の開示】
【発明が解決しようとする課題】
【０００４】
しかしながら、上記の従来の検索エンジンシステムでは、地域限定情報や特定ジャンル情報を正確・詳細に検索することができない。
従来のディレクトリー型（登録型）検索エンジンシステムは、発信元地域や情報ジャンルを特定することには優れているが、サイト単位でデータが登録されており各ページ毎の全文データを詳細に検索することができない。
一方、従来のロボット型（全文検索型）の検索エンジンの場合には、「ページ単位」でのデータ登録であり、ページ毎の全文データ検索が可能であり、検索キーワードに対する詳細な検索が可能であるが、そのサイトの発信元地域や情報ジャンルを特定し難いという欠点があった。例えば、つくばのレストランを検索したい場合に、つくばとレストランの２つのキーワードで検索した場合につくばとレストランの記載のある全国のページが検索され必ずしもつくばのレストラン情報ではない場合がある。
【０００５】
ところで、現在利用されているディレクトリー型（登録型）検索エンジンシステムや
ロボット型（全文検索型）検索エンジンの場合には、検索ジャンル入力又は検索キーワード入力に対して、データベースからそのサイト又はページの検索結果がテキスト一覧表示される。
しかしながら、このような検索結果のテキスト一覧表示では、ウェブサイトの発信場所を特定することはできない。
また、従来の検索エンジンシステムの検索結果の重み付け評価は、検索結果の確率が高い場合表示順位が早いというようにテキスト一覧表示における順位で表示されている。
しかしながら、これらの方法では、視覚的なイメージにより検索結果の重み付け評価を行なうことはできないため瞬時に検索結果の確率や重要度を把握することができない。
また、検索される情報は、検索結果の位置や検索者の位置から検索結果までの位置を距離把握することはできない。
【０００６】
即ち、従来の検索エンジンシステムでは、地域限定情報や特定ジャンル情報を正確・詳細に検索する場合には、ディレクトリー型（登録型）検索エンジンシステムやロボット型（全文検索型）の検索エンジンのそれぞれを利用したり、キーワードの絞込みやキーワード変更により何度も検索を行なう必要があった。場合によっては、絞込みキーワードが合致せず目的の情報を検索できない場合もあった。
また、ウェブサイトの発信場所を確認する場合にはそのサイト又はページを実際に閲覧して発信者の住所や交通案内の地図を確認しなければならないという問題があった。
【０００７】
そこで、本発明では、ディレクトリー型（登録型）検索エンジンシステムとロボット型（全文検索型）検索エンジンを統合し、GISと連動するサーチエンジンシステムとすることによって、上記従来の問題を解決することを目的とする。
【０００８】
さらに、検索結果のウェブサイトの発信位置をGISの地図表示画面上にイメージ表示することを可能とすること、検索結果の重みである検索確率又はサイト重要度を地図表示画面上にイメージ表示することを可能とすること、ウェブサイトの検索結果を検索者からの距離範囲条件で絞り込み検索を可能とすること、検索者の検索基準点から検索結果までの距離を表示すること、地図表示画面上の境界線範囲を指定することによる検索を可能とすることを目的とする。
【課題を解決するための手段】
【０００９】
本発明は上記課題を解決するために、
通信ネットワーク上に存在する複数のウェブサイトと複数の端末とが通信ネットワークを介してサーチエンジンサーバーに接続されて成る地図情報システム連動サーチエンジンサーバーシステムであって、
前記複数のウェブサイトは、通信ネットワーク上に無数に発信されているウェブサイトであって、
前記複数の端末は、通信ネットワークを介して前記サーチエンジンサーバーに情報登録を
行なう登録者端末と該サーチエンジンサーバーに登録された情報を検索する検索者端末から成り、
前記サーチエンジンサーバーは、
通信ネットワーク上の前記登録者端末からのウェブ情報入力と前記検索者端末へのウェブ情報出力を処理するウェブ表示処理部と、
地図検索入力部と地図検索処理部と地図データベースと位置イメージ処理部で構成され、地図検索処理と前記ウェブサイトの発信位置の指定と該発信位置のイメージ表示を可能とする地図情報システム部と、
前記ウェブサイト発信位置の地図座標データの取得と該ウェブサイトのアドレスとカテゴリを登録処理する情報登録部と、
前記ウェブサイトのカテゴリの分類システムを有し、カテゴリ分類表示とカテゴリ選択信号入力と該カテゴリ選択信号のデータ変換を処理するカテゴリ処理部と、
前記ウェブサイトのアドレスと前記ウェブサイト発信位置の地図座標データと前記カテゴリ選択信号のデータベースであるカテゴリデータベースと、
前記情報登録部から登録された前記ウェブサイトのアドレスに対応した通信ネットワーク上に存在するウェブサイトに対してサーチエンジンロボットが起動し、
ウェブデータ収集処理を行なうウェブデータ収集処理部と、
該ウェブデータ収集処理部に収集されたウェブデータの語句解析を行なう語句解析部と、語句解析された該ウェブデータの重み処理を行なう重み処理部と、
該ウェブデータに語句解析と重み処理を行なったウェブデータが蓄積されるウェブデータベースと、
前記検索者端末から前記ウェブデータベースと前記カテゴリデータベースへの検索信号の入出力処理をする検索処理部と、
前記ウェブデータベースへの検索処理とデータ付加処理をするキーワード検索部と
前記ウェブデータベース部から検索されたページ内の重みを集計処理する検索結果重み計算処理部と、
前記検索結果重み計算処理部で処理されたデータが前記カテゴリデータベースに同期し、
前記複数の検索結果である複数のウェブサイトアドレスと該ウェブサイトの発信位置である地図上の複数の位置座標を同期処理するアドレス・座標軸同期処理部と
前記カテゴリデータベースへの検索処理とデータ付加処理をするカテゴリ検索部と
前記ウェブサイトの発信位置である地図上の複数の位置座標間の距離計算処理を行なう
距離計算処理部を有することを特徴とする地図情報システム連動サーチエンジンサーバーシステムを提供する。
【００１０】
前記地図情報システム部の検索入力部は、
前記登録者端末から前記サーチエンジンサーバーに登録をするウェブサイトの発信場所を地図上で特定するための情報を前記ウェブ表示処理部を経由して入力処理し、
入力信号を前記地図検索処理部に送信し、
該地図検索処理部は、前記ウェブサイトの発信場所を前記地図データベースから検索処理し、
該ウェブ表示処理部を経由して該登録者端末に該ウェブサイトの発信場所を地図表示し、該登録者端末から、該地図表示された地図上で該ウェブサイトの発信位置を地図地点指定することによって該ウェブサイトの発信位置の地図座標データを取得し、
該ウェブ表示処理部を経由して前記情報登録部に該地図座標データを送信し、
該ウェブ表示処理部は、前記登録者端末からの前記ウェブサイトの発信位置の地図地点指定信号を受信すると同時にウェブサイトのアドレス入力とカテゴリ入力の登録フォーマット画面を起動させ、
前記情報登録部は、該登録者端末から該登録フォーマット画面に入力された登録するウェブサイトアドレスデータとカテゴリデータと前記地図座標データを前記カテゴリデータベースに登録処理し、
該カテゴリデータベースへの登録処理と同時に該ウェブサイトアドレスを前記ウェブデータ収集処理部に送信し、
該ウェブデータ収集処理部は、該ウェブサイトアドレスに対してサーチエンジンロボットを起動し、通信ネットワーク上に存在する該ウェブサイトの情報収集を行なうことを可能とすることを特徴とする。
【００１１】
前記カテゴリデータベースへの前記検索者端末からのカテゴリウェブサイト検索は、カテゴリ検索画面を前記ウェブ表示処理部から通信ネットワークを介して該検索者端末に表示し、
該検索者端末から該カテゴリ検索画面へのカテゴリ検索入力信号を、
該ウェブ表示処理部から前記検索処理部と前記カテゴリ検索部を順次経由して前記カテゴリデータベースへ送信し、
該カテゴリデータベースからのウェブサイト検索結果一覧データを、前記距離計算処理部を経て、
前記検索処理部から前記ウェブ表示処理部へ送信し、
同時に、該カテゴリデータベースから得られたウェブサイトの検索結果の座標データとウェブサイトアドレスデータを、前記カテゴリ検索部から前記距離計算処理部を順次経由して、
前記地図情報システム部の前記位置イメージ処理部に送信し、
該位置イメージ処理部で前記ウェブサイトの発信位置を地図地点イメージ表示処理し、
該イメージ表示処理したデータを前記地図検索処理部に送信し、
該地図検索処理部で地図検索処理し、
地図検索処理されたデータを前記ウェブ表示処理部に送信し、
該ウェブ表示処理部で該地図検索処理されたデータと前記ウェブサイト検索結果一覧データを同一ウェブ画面上にウェブ表示処理し、
前記検索者端末に該ウェブサイト検索結果一覧データと該ウェブサイトの発信位置を表示した地図画面を同時に表示することを可能とすることを特徴とする。
【００１２】
前記ウェブデータベースへの前記検索者端末からのウェブデータ検索は、キーワード検索入力画面を前記ウェブ表示処理部から通信ネットワークを介して該検索者端末に表示し、該キーワード検索入力画面へのキーワード検索入力信号を、該検索者端末から該ウェブ表示処理部と前記検索処理部と前記キーワード検索部を順次経由して前記ウェブデータベースへ送信し、
前記ウェブデータベースからのウェブデータの検索結果を前記キーワード検索部から前記検索結果重み計算処理部に送信し、
該検索結果重み計算処理部で該ウェブデータの検索結果のページ内の重みを集計処理し、
該重み計算処理されたウェブデータを前記アドレス・座標軸同期処理部に送信し、
該アドレス・座標軸同期処理部にて、ウェブデータに対応するウェブサイトアドレスおよび地図座標データを前記カテゴリデータベースから取得し、該ウェブサイトアドレスおよび該地図座標データを付加したウェブデータの情報を前記カテゴリ検索部を経由して前記距離計算処理部に送信し、
該距離計算処理部にて距離情報を付与されたウェブデータを、ウェブサイト検索結果一覧データとして前記検索処理部を経由して前記ウェブ表示処理部に送信し、
同時に、該距離計算処理されたウェブデータを前記位置イメージ処理部に送信し、
該位置イメージ処理部は、前記ウェブサイトの発信位置の地図地点イメージ表示処理と前記重み計算処理されたウェブデータの重み評価に応じた重みイメージ表示処理を同時にイメージ表示処理し、
該イメージ表示処理された信号を前記地図検索処理部に送信し、
該地図検索処理部で地図検索処理し、該地図検索処理データを前記ウェブ表示処理部に送信し、
該ウェブ表示処理部で該地図検索処理データと前記ウェブサイトの検索結果一覧データを同期ウェブ表示処理し、
前記検索者端末に該ウェブサイトの検索結果一覧データと該ウェブサイトの発信位置と重みイメージを表示した地図画面を同時に表示することを可能とすることを特徴とする。
【００１３】
前記検索者端末からの前記カテゴリ検索において、
該検索者端末のウェブ表示部に表示される検索入力画面に該カテゴリ検索の検索データを入力し、
同時に、検索入力画面上に表示されている地図表示画面上の中心点の地図座標データを検索基準点座標データとして取得し、
該カテゴリ検索の入力データに該地図表示画面上の中心点の検索基準点座標データを付加することを可能とし、
該検索基準点座標データが付加された該カテゴリ検索の入力データを前記カテゴリ検索部に送信し、
該カテゴリ検索部は、前記カテゴリ処理部を経由して前記カテゴリデータベースから検索されるウェブサイトの検索結果データに検索基準点座標データを付加することを可能とすることを特徴とする請求項１〜４のいずれかに記載の地図情報システム連動サーチエンジンサーバーシステム。
【００１４】
前記検索者端末からのウェブデータベースへの前記キーワード検索において、
該検索者端末のウェブ表示部に表示される検索入力画面に該キーワード検索の検索データを入力し、
同時に、検索入力画面上に表示されている地図表示画面上の中心点の地図座標データを検索基準点座標データとして取得し、
該キーワード検索の入力データに該地図表示画面上の中心点の検索基準点座標データを付加することを可能とし、
該検索基準点座標データが付加された該キーワード検索の入力データを前記キーワード検索部に送信し、
該キーワード検索部は、前記ウェブデータベースから検索されるウェブサイトの検索結果データに該検索基準点座標データを付加することを可能とすることを特徴とする。
【００１５】
前記位置イメージ処理部は、
サイト位置座標データの付加された前記カテゴリ検索のウェブサイト検索結果データ又は前記アドレス・座標軸同期処理部でサイト位置座標データの付加された前記ウェブデータベースのウェブページ検索結果データを前記距離計算処理部を経由して受信し、
該カテゴリ検索のウェブサイト検索結果データ又は該ウェブデータベースのウェブページ検索結果データの発信位置の地図座標地点に発信地点イメージの表示を可能とすることを特徴とする。
【００１６】
前記位置イメージ処理部は、
前記ウェブデータベースの検索結果に対して重み計算処理した前記検索結果重み計算処理部からの重み計算処理データに、前記アドレス・座標軸同期処理部で前記カテゴリデータベースとの同期処理により発信位置の座標データが付加された検索結果データを、
前記アドレス・座標軸同期処理部から前記距離計算処理部を経由して受信し、
該ウェブデータの発信位置の地図座標に対応した地図地点に前記重み計算処理データに対応する重みの評価イメージをイメージ表示処理することを可能とすることを特徴とする。
【００１７】
前記距離計算処理部は、
前記検索者端末からの前記カテゴリ検索又は前記検索者端末からのウェブデータベースへの前記キーワード検索において、
検索データの入力時に同時に取得される前記検索基準点位置の地図座標データと
前記地図画面が表示されるウェブ画面上から入力される該検索基準点位置を基準としたウェブサイトの検索範囲の距離条件である検索範囲距離データと、
前記アドレス・座標軸同期処理部から受信される前記キーワード検索ウェブデータ又は前記カテゴリ検索の座標データが付加されたカテゴリ検索データの座標間の距離を計算処理することを可能とすることを特徴とする。
【００１８】
前記距離計算処理部は、
前記検索者端末からの前記カテゴリ検索又は前記検索者端末からのウェブデータベースへの前記キーワード検索において、
検索データの入力時に同時に取得される前記検索基準点位置の地図座標データと
前記アドレス・座標軸同期処理部から受信される発信位置の座標データが付加された前記キーワード検索ウェブデータ又は前記カテゴリ検索の座標データが付加されたカテゴリ検索データの発信位置座標データとの座標間の距離を計算処理し、
該距離計算処理データを前記検索処理部から前記ウェブ表示処理部を経由して前記検索者端末に送信し、
前記検索者端末に近距離順のウェブサイト検索結果一覧表示するウェブ表示処理を可能とすることを特徴とする。
【００１９】
前記距離計算処理部は、
前記検索者端末からの前記カテゴリ検索又は前記検索者端末からのウェブデータベースへの前記キーワード検索において、
検索データの入力時に取得される前記検索基準点位置の地図座標データと
前記アドレス・座標軸同期処理部から受信される発信位置の座標データが付加された前記キーワード検索ウェブデータ又は前記カテゴリ検索の座標データが付加されたカテゴリ検索データの発信位置座標データとの座標間の距離を計算処理し、
該距離計算処理データを前記検索処理部から前記ウェブ表示処理部を経由して前記検索者端末に送信し、該ウェブサイト検索結果一覧表示の表示項目に前記検索基準点位置から前記検索結果のウェブサイトの位置までの距離を数値表示するウェブ表示処理を可能とすることを特徴とする。
【００２０】
前記距離計算処理部は、
前記検索者端末からの前記カテゴリ検索又は前記検索者端末からのウェブデータベースへの前記キーワード検索において、
検索データの入力時に同時に取得される前記検索基準点位置の地図座標データと
前記地図画面が表示されるウェブ画面上から入力される該検索基準点位置を基準としたウェブサイトの検索範囲の距離条件である検索範囲距離データと、
前記アドレス・座標軸同期処理部から受信される発信位置の座標データが付加された前記キーワード検索ウェブデータ又は前記カテゴリ検索の座標データが付加されたカテゴリ検索データの座標間の距離を計算処理し、
該検索基準点位置からの距離範囲の条件に合致した検索データを出力し、
該検索データを前記検索処理部から前記ウェブ表示処理部を経由して前記検索者端末に送信し、前記検索者端末に検索距離範囲の条件に合致した近距離順のウェブサイト検索結果一覧表示を可能とすることを特徴とする。
【００２１】
前記サーチエンジンサーバーシステムは、境界線判定処理部を有し、
前記検索者端末のウェブ表示部に表示される検索画面の地図表示画面上において、
特定の範囲をマウスで指定することにより、
特定範囲指定地図境界線座標データを取得し、
前記ウェブデータベース又は前記カテゴリデータベースへの検索に対して入力する検索データに該特定範囲指定地図境界線座標データを付加して前記キーワード検索部又は前記カテゴリ検索部に送信し、
該キーワード検索部又は該カテゴリ検索部で、
該ウェブデータベース又は該カテゴリデータベースからの検索結果にたいして該特定範囲指定地図境界線座標データを付加し、
前記境界線判定処理部に送信し、
該特定範囲指定地図境界線座標データを条件として、境界線座標データ範囲内に存在するウェブデータの検索結果を出力処理し、
前記検索処理部と前記ウェブ表示処理部とを順次経由して前記検索者端末に一覧表示することを可能とすることを特徴とする。
【００２２】
前記サーチエンジンサーバーシステムは、前記境界線判定処理部と地域名境界線データベースを有し、
前記検索者端末のウェブ表示部に地図画面が表示されている検索画面上において、地域名を選択指定することによって地域名データが前記ウェブデータベース部又は前記カテゴリデータベースへの検索入力データに付加され、前記キーワード検索部又は前記カテゴリ検索部に送信し、
該キーワード検索部又は該カテゴリ検索部で、
前記ウェブデータベース部又は前記カテゴリデータベースからの検索結果データに対して該地域名データを付加し、
前記境界線判定処理部に送信し、
該境界線判定処理部で該地域名データに該当する地図境界線データを境界線データベースから出力し、
該地域名境界線座標データを条件として、該地域名境界線座標データ範囲内に存在する検索結果を出力処理し、
前記検索処理部と前記ウェブ表示処理部とを順次経由して前記検索者端末に一覧表示することを可能とすることを特徴とする。
【００２３】
前記特定範囲指定地図境界線座標データ及び前記地域名境界線座標データは、前記境界線判定処理部から前記距離計算処理部を経由して前記位置イメージ処理部に送信し、
該位置イメージ処理部は、該特定範囲指定地図境界線座標データ及び該地域名境界線座標データの地図上の範囲を半透明色のカラーレイヤー表示処理することを可能とし、
前記地図検索処理部と前記ウェブ表示処理部とを順次経由して前記検索者端末のウェブ画面上に地図表示することを可能とすることを特徴とする。
【発明の効果】
【００２４】
上記構成の本発明に係る地図情報システム連動サーチエンジンサーバーシステムは、次のような効果を奏する。
（１）ディレクトリー型（登録型）検索エンジンシステムとロボット型（全文検索型）の検索エンジンを組み合わせたサーチエンジンシステムとすることにより、予め限定されたウェブサイトにロボットエンジンを稼動し、限定された情報エリア内の詳細情報のデータベースを構築することが可能となり、サーチエンジン利用者が効率的に目的の情報検索を行なうことが可能となる。
【００２５】
（２）サーチエンジンシステムと地図情報システムとを連動させるシステムとすることによって、サーチエンジンで検索されたウェブサイトの発信位置の座標が地図画面上に表示されること及び検索結果の確率が評価イメージとして地図表示画面上に表示されること、また、発信位置地図表示画面と検索結果一覧が同一ウェブ画面上に表示されることによって、発信場所や検索確率を視覚的に把握することが可能となりサーチエンジン利用者にとってより詳細な情報検索が可能となる。
【００２６】
（３）地図情報システムと連動したサーチエンジンシステムに、予め検索者の検索基準点
位置を登録することを可能とするシステムにすることによって検索結果一覧に検索基準点位置からの距離表示が可能となること、及び検索基準点位置からの検索範囲距離条件を入力可能とすることによって検索範囲距離内の情報検索が可能となり、サーチエンジン利用者にとってより詳細な情報検索が可能となる。
【００２７】
（４）検索者のウェブ画面上に表示される検索画面上の地図表示画面から特定の範囲を指定することによって、地図表示画面上の検索範囲の境界線が指定され境界線座標データ内のウェブ検索が可能となりサーチエンジン利用者にとって地図上の視覚認識による詳細な地域限定情報検索が可能となる。
【発明を実施するための最良の形態】
【００２８】
本発明に係る地図情報システム連動サーチエンジンサーバーシステムを実施するための最良の形態を実施例に基づき図面を参照して、以下説明する。
【実施例１】
【００２９】
（構成）
本発明に係る地図情報システム連動サーチエンジンサーバーシステムの実施例１を図１〜７により説明する。図１は、本発明に係る地図情報システム連動サーチエンジンサーバーシステムの全体構成を示すブロック図である。本発明に係る地図情報システム連動サーチエンジンサーバーシステムは、インターネット（他の通信回線でもよい。）１を介して、複数の検索者端末２、複数の登録者端末３、サーチエンジンサーバー４、及びウェブサイト５が接続されて構成される。
【００３０】
本発明に係る地図情報システム連動サーチエンジンサーバーシステムは、その概要としては、登録者端末３からインターネット１を介してサーチエンジンサーバー４の地図情報システム部１１から、ウェブサイト５の発信場所の地図検索を可能とし、
検索された地図表示画面からウェブサイト５の発信位置を指定し、ウェブ表示処理部６を経由し情報登録部１３からウェブサイト５の位置座標データとウェブサイトのカテゴリとアドレスをカテゴリデータベース１５に登録し、
また、情報登録部１３からウェブデータ収集処理部１６に登録されたウェブサイトのアドレスを送信し、ロボット検索エンジンを起動し、通信ネットワーク上に実際に存在する登録したアドレスのウェブサイト５のウェブデータを収集し、語句解析部１７で語句解析し、重み処理部１８で重み処理し、ウェブデータベース１９に登録を可能とし、
検索者端末２から、カテゴリデータベース１５へのカテゴリ検索をする場合には、検索者端末２からカテゴリ検索部２３に検索信号と検索基準点座標データと検索範囲距離データが送信され、カテゴリデータベース１５からサイト発信位置の座標データを付加した検索データを出力し、距離計算処理部２６で各座標データ間の距離計算処理をし、ウェブ表示処理部６で検索結果に距離計算処理された一覧表示を可能とし、
また、検索者端末２から、ウェブデータベース１９へキーワード検索した場合には、
検索者端末２からキーワード検索部２０に検索信号と検索基準点座標データと検索範囲距離データが送信され、ウェブデータベース１９からの検索データが、キーワード検索部２０から検索結果重み計算処理部２１に送信され、検索結果に重み計算処理された検索データが、アドレス・座標軸同期処理部２２でカテゴリデータベース１５と同期処理され、重み計算処理された検索結果にサイト発信位置座標データが付加され、距離計算処理部２６で各座標データ間の距離計算処理をし、ウェブ表示処理部６で検索結果に距離計算処理された一覧表示が可能となり、
また、カテゴリ検索結果データ及びキーワード検索データが、距離計算処理部２６経由して地図情報システム部１１の位置イメージ処理部１０に送信され、位置イメージ処理部１０で地図表示画面上の発信位置のイメージ表示処理と検索結果重み計算処理部２１で重み計算処理された重み計算処理データの重み評価のイメージ表示処理をし、検索者端末２の地図表示画面上にウェブサイトの発信位置と検索確率の評価イメージを地図表示することを可能とする地図情報システムに連動したサーチエンジンサーバーシステムである。
【００３１】
本発明の適用できる通信ネットワーク検索データの範囲は、全国レベルの検索エンジンや都道府県や市町村等地域を限定した検索エンジンや特定の業種業態をターゲットとした検索エンジンばかりでなく、企業グループや企業内のイントラネット上における検索システムとして利用されることが考えられる。また、地図データは、画像データや数値データの地理データばかりでなく建物位置図や建物内の構図も考えられる。また、地図データベースは、サーチエンジンサーバーシステム内のデータベースばかりでなくインターネットを介して民間地図業者や国土地理院等公共機関の提供する地図データベースも利用することが考えられる。
本実施例１では、サーチエンジンサーバーシステムの一例として、市町村レベルの地域ポータルサイトで説明する。以下、本発明に係る地図情報システム連動サーチエンジンサーバーシステムを構成する装置について、それぞれその構成を説明する。
【００３２】
端末：
登録者端末３及び検索者端末２は、それぞれ通常のパソコンが利用され、入力部、出力部、ＣＰＵ、記憶部、表示部（液晶表示装置、ＣＲＴ等）、入力機器（マウス、キーボード、ペン、タッチパネル等）、出力機器（プリンタ等）等を有している。
【００３３】
なお、端末は、通常、パソコンと考えられるが、必ずしもパソコンとする必要はなく、通信ネットワーク接続された携帯電話やIP電話やインターネット家電であっても良い。
【００３４】
登録者端末３は、サーチエンジンサーバー４の地図情報システム部１１にウェブ表示処理部６を経由して地図検索入力部７に、ウェブサイトを登録する場所の地図を検索する信号を入力することを可能とすること、
また、地図検索により指定された地点を、ウェブサイトの発信位置として登録する際、その地点の座標情報の取得を可能とすること、
また、位置指定と同時に表示されるウェブサイトの登録フォーマットに登録するウェブサイトのアドレスとカテゴリを登録することを可能とし、
これによって、カテゴリデータベース１５とウェブデータベース１９を構築することが可能となる。
【００３５】
なお、登録者端末３は、通常、サーチエンジンサーバーの管理者端末と考えられるが、必ずしもサーチエンジンサーバーの管理者とする必要はなく、通信ネットワーク上に存在するウェブサイト５の運営者又はウェブサイト５のサイト推薦者の端末であっても良い。
【００３６】
サーチエンジンサーバー：
図１に示すように、サーチエンジンサーバー４は、ウェブ表示処理部６、
地図情報システム部１１、検索処理部１２、情報登録部１３、カテゴリ処理部１４、カテゴリデータベース１５、ウェブデータ収集処理部１６、語句解析部１７、重み処理部１８、ウェブデータベース１９、キーワード検索部２０、検索結果重み計算処理部２１、アドレス・座標軸同期処理部２２、カテゴリ検索部２３、境界線判定処理部２４、境界線データベース２５、距離計算処理部２６等を備えている。
【００３７】
このうち、ウェブ表示処理部６は、インターネット１を介して、図１に示すように、登録者端末３と検索者端末２に接続される。又、ウェブデータ収集処理部１６は、図１に示すように、インターネット１を介して、ウェブサイト５に接続される。
【００３８】
ウェブ表示処理部６は、登録者端末３及び検索者端末２からの地図検索入力部７と検索処理部１２と情報登録部１３へのウェブ上情報入力と地図検索処理部８と検索処理部１２から登録者端末３及び検索者端末２へのウェブ上情報出力を処理する。
【００３９】
地図情報システム部１１は、図１に示すように地図検索入力部７、地図検索処理部８、地図データベース９、位置イメージ処理部１０を備えており、ウェブサイトの登録場所の検索信号を登録者端末３から地図検索入力部７へ送り、地図検索処理部８で地図データベース９からの地図データを検索処理し、ウェブ表示処理部６を介して登録者端末３に表示することを可能とする。
【００４０】
図２は、地図情報システム部１１の検索入力と図面表示画面の図であり、位置検索キーワード入力１００aは、キーワードにより地図画面を検索可能とし、地名・番地選択入力１００bは、予め表示される地名や番地の選択により地図画面の検索が可能であり、地図の検索結果は地図表示画面１０２のように登録者端末３に表示される。
【００４１】
また、地図情報システム部１１は、図１の距離計算処理部２６からのウェブデータベース１９からのキーワード検索結果であるアドレス座標同期データ又はカテゴリデータベース１５からのカテゴリ検索結果であるアドレスに発信位置の座標データが付加された検索結果データを位置イメージ処理部１０で受信し、ウェブサイトの発信位置と重み評価をイメージ処理し地図検索処理部８で地図検索処理し、ウェブ表示処理部６を経由して検索者端末２に表示することを可能とする。
【００４２】
また、位置イメージ処理部１０は、検索者端末２のウェブ表示部に表示される検索入力画面にカテゴリ検索の検索データ入力時又はキーワード検索のデータ入力時に、
検索入力画面上に表示されている地図表示画面１０２上の中心点の地図座標データを検索基準点座標データとして検索データ入力信号と同時に取得し、
カテゴリ検索の入力データ又はキーワード検索の入力データに検索基準点座標データを付加してカテゴリ検索部２３又はキーワード検索部２０に送信し、カテゴリデータベース１５又はウェブデータベース１９からの検索結果にカテゴリ検索部２３又はキーワード検索部２０で検索基準点座標データが付加され、検索基準点座標データはカテゴリ検索結果データ又はキーワード検索結果のデータとともに距離計算処理部２６から位置イメージ処理部１０に送られ、
検索基準点座標データのイメージ処理をし、検索者端末２に表示される地図表示画面上の中心に検索基準点座標データを表示することを可能とする機能を有する。
【００４３】
また、位置イメージ処理部１０は、検索者端末２のウェブ表示部に地図表示画面１０２が表示されている検索画面上において、地図上の特定範囲をマウスで指定する特定範囲指定地図境界線検索又は地域名を選択指定することによって地域名データに対応した境界線データベース２５からの地域名範囲境界線検索の境界線範囲座標データを境界線判定処理部２４から距離計算処理部２６を経由して受信し、特定範囲指定地図境界線座標データ又は地域名境界線座標データの地図上の範囲を半透明色のカラーレイヤー表示処理することを可能とし、地図検索処理部８とウェブ表示処理部６とを順次経由して前記検索者端末のウェブ画面上に地図表示することを可能とする機能を有する。
【００４４】
なお、地図情報システム部１１の位置イメージ処理部１０で処理されるイメージ処理は、画像データ及び数値データのどちらの処理方法でも良い。
【００４５】
また、地図情報システム部１１は、実施例１では、サーチエンジンサーバー内に構築されているが必ずしもサーチエンジンサーバーにあることを前提とするものではなく、インターネットやイントラネット上に別途用意されているGISであって、ネットワーク回線を介しサーチエンジンサーバーの各処理部と接続されている形態であっても良く、地図情報システム部１１の地図データベース９は、インターネット上からサービス提供される民間業者の地図データベースや国土地理院の提供する地図データベースであっても良い。
【００４６】
情報登録部１３は、登録者端末３に表示された地図表示画面１０２上にウェブサイトの発信位置を指定することにより得られる座標データとウェブアドレスとカテゴリ入力信号を登録者端末３から受信し、カテゴリ処理部１４を経由してカテゴリデータベース１５に登録し、同時に、ウェブアドレスデータをウェブデータ収集処理部１６に送信することを可能とする機能を有する。
【００４７】
ここで、図２における地図表示画面１０２の１０２Ｘはサイト登録地点であり位置指定してからサイト登録ボタン１０１を押すか又は１０２Ｘの地点をクリックするとサイト発信位置の座標データが取得され、同時に図３のようにカテゴリの選択１０３、アドレス入力１０４、タイトル入力１０４a、紹介文入力１０４bを有する登録フォーマットが起動し、情報登録部１３への情報登録が可能となる。
【００４８】
ウェブデータ収集処理部１６は、情報登録部１３からウェブアドレスデータを受信し、アドレスに対応したインターネット１上に存在するウェブサイト５に検索エンジンロボットを起動し、ウェブサイト５のHTML等のページデータとそのURLを収集する。また、収集したHTMLに、サイト内の下層ディレクトリに対するURLのハイパーリンクが含まれる場合、更にそのURLからデータを収集するという動作を再帰的に繰り返す機能を有する。
【００４９】
語句解析部１７は、ウェブデータ収集処理部１６で収集処理したウェブサイト５のページデータとURLを受信し、単語毎での区切りを明確にするため、前処理として、収集したWebサイトのページデータを、単語判定のためにあらかじめ登録された電子辞書ファイルを用い単語毎に分解し、検索の効率化のため、数字→アルファベット→50音の順というような単語の索引を作成する機能を有する。
【００５０】
なお、単語に分解するとは、情報収集したWebサイトのページデータ内に「つくばの農業とバイオ研究」という文章がある場合に、「つくば」、「の」、「農業」、「と」、「バイオ」、「研究」というように分解することを意味する。
【００５１】
重み処理部１８は、語句解析部１７で処理されたデータを受信し、単語が出現する部分のHTMLタグ等に応じて、あらかじめ定義したHTMLタグ等に対応する単語の重み付けの処理を行いウェブデータベース１９に処理データを送信することを可能とする機能を有する。
【００５２】
ここで、単語の重みづけの処理とは、例えば、<TITLE>:タグが15点で<TITLE>:タグ内に記載されたタイトルが「つくば大学」であった場合、「つくば大学」の重みは15点とされ、また、<H1>のタグが8点で「バイオ」の文字が<H1>のタグで指定されている場合、「バイオ」の重みは8点と処理することを意味する。
【００５３】
これにより、ウェブデータベース１９は、ウェブデータ収集処理部１６で収集処理されたウェブサイト５のページデータに語句解析と重み処理を行なったページデータとページデータ毎のURLが付加されたウェブデータベース１９として構築が可能となる。
【００５４】
なお、ウェブデータベース１９は、登録されたサイトが２０ページから成る場合、検索情報データベースには、２０ページ分の情報が保存されるというように、登録されたサイトの各ウェブページ単位でデータが保存されており、インターネット１を介して検索及びWeb表示可能なプログラム言語で構築されたデータベースである。
【００５５】
キーワード検索部２０は、検索者端末２からのウェブデータベース１９へのキーワード検索のデータの入出力処理と、検索者端末２の検索登録画面においてキーワード入力データに付加される検索者端末２のウェブ表示画面上に表示される地図表示画面上の中心点の座標である検索者の検索基準点位置データを受信し、ウェブデータベース１９からのウェブデータの検索結果に対して検索基準点位置データを付加処理することを可能とする機能を有する。
【００５６】
検索結果重み計算処理部２１は、検索者端末２からウェブ表示処理部６を経由してウェブデータベース１９に入力されたキーワード検索の検索結果をキーワード検索部２０から受信し、各検索結果ページ内の個々のキーワードの重みをページごとに計算処理する機能を有する。
【００５７】
これにより、検索された各ページの重みが集計され、そのページの検索確率や重要度を
評価計算することが可能となり、検索結果重み計算処理部２１から検索処理部１２を経由して検索者端末２のウェブ表示画面に検索結果の確率順の検索ページ一覧表示が可能となる。
【００５８】
図５は、検索者端末２からウェブデータベース１９にキーワード検索入力するフォーマット１０６と検索結果が検索者端末２に確率順に表示された検索結果一覧の表示１０７のウェブ画面イメージである。
【００５９】
また、検索結果重み計算処理部２１は、登録されたサイトアドレス内の複数の検索ページの重みを合計し、サイトアドレス全体の重みを計算し、検索結果重み計算処理部２１から検索処理部１２を経由して検索者端末２に検索結果の確率順の検索サイト一覧表示を可能とする機能を有する。
【００６０】
アドレス・座標同期処理部２２は、検索結果重み計算処理部２１で重み計算処理された検索ページデータを受信し、その検索ページのアドレスとカテゴリデータベース１５の検索ページのアドレスに対応する登録サイトアドレスと座標データとを同期処理することによって、重み計算処理された検索ページデータにそのサイトの発信位置の座標データを付加することを可能とする機能を有する。
【００６１】
これによって、ウェブデータベース１９からのキーワード検索ページデータに対してその発信位置の地図座標データを同期付加することが可能となり、
地図情報システム部１１の位置イメージ処理部１０で発信位置の位置イメージ表示及び検索確率イメージを地図表示イメージ処理することが可能となり、検索者端末２の地図表示画面１０２上から閲覧することが可能となる。
【００６２】
ここで、図５は、ウェブデータベース１９からの重み計算処理されたキーワード検索ページデータの検索結果一覧１０７とその検索結果のページ発信位置イメージと重み処理された検索確率イメージ（地図表示画面１０２の１０２Aa、１０２Bb、１０２Cc）を検索者端末２にWeb表示したイメージ図である。
【００６３】
なお、図５の検索結果の重みの確率イメージは、イメージの大きさによって表現してい
るがイメージの色相の相違やイメージの数値表示やグラフなどの度数表示で表現することもある。
【００６４】
カテゴリ検索部２３は、検索者端末２からのカテゴリデータベース１５へのカテゴリ検索のデータの入出力処理と、検索者端末２の検索登録画面においてカテゴリ入力データに付加される検索者端末２のウェブ表示画面上に表示される地図表示画面１０２上の中心点座標である検索者の検索基準点位置データ１０８Ｘを受信し、カテゴリデータベース１５からのウェブデータの検索結果に対して検索基準点位置データを付加処理することを可能とする機能を有する。
【００６５】
また、カテゴリ検索部２３は、検索者端末２からのウェブデータベース１９へのキーワード検索結果のウェブデータを検索結果重み計算処理部２１とアドレス・座標軸同期処理部２２を順次経由して受信し、検索者端末２の検索登録画面のカテゴリ検索入力１０５へのカテゴリ入力により、ウェブデータベース１９へのキーワード検索結果をカテゴリ検索で絞込み検索処理する機能を有する。
【００６６】
ここで、図４は、カテゴリデータベース１５にカテゴリ検索入力されるカテゴリサイト検索一覧１０７とその検索結果のサイト発信位置イメージ（地図表示画面１０２の１０２A、１０２B、１０２C）を検索者端末２にWeb表示したイメージ図である。
【００６７】
境界線判定処理部２４は、検索者端末２のウェブ表示部に表示される検索画面の地図表示画面１０２上において、特定範囲をマウスで指定することによって取得される
特定範囲指定地図境界線座標データを、
キーワード検索部２０又はカテゴリ検索部２３で、ウェブデータベース１９又はカテゴリデータベース１５からの検索結果データに対して特定範囲指定地図境界線座標データが付加処理された検索結果データを受信し、
該特定範囲指定地図境界線座標データを条件として、境界線座標データ範囲内に存在するウェブデータベース１９又はカテゴリデータベース１５からのウェブデータ検索結果を出力処理する絞込検索を可能とする機能を有する。
【００６８】
また、境界線判定処理部２４は、
前記検索者端末２のウェブ表示部に地図画面が表示されている検索画面上において、地域名を選択指定することによって地域名データがウェブデータベース１９又はカテゴリデータベース１５への検索入力データに付加され、キーワード検索部２０又はカテゴリ検索部２３で、ウェブデータベース部１９又はカテゴリデータベース１５からの検索結果データに対して地域名データが付加された検索結果データを受信し、
地域名データに該当する地図境界線データを境界線データベース２５から出力し、
地域名境界線座標データを条件として、地域名境界線座標データ範囲内に存在する検索結果を出力処理する絞込検索を可能とする機能を有する。
【００６９】
ここで、境界線データベース２５における地域名境界線座標データは、都道府県名や市町村名や字名等の地域名に応じて予めその境界線データが構築されている境界線データベースである。
【００７０】
距離計算処理部２６は、
検索者端末２からのカテゴリデータベース１５へのカテゴリ検索又はウェブデータベース１９へのキーワード検索において、
検索者端末２のウェブ表示画面からの検索データの入力時に同時に取得される地図画面の中心地点である検索基準点位置１０８Ｘの地図座標データと
地図画面が表示されるウェブ画面上から入力される検索基準点位置１０８Ｘを基準としたウェブサイトの検索範囲の距離条件である検索範囲距離データと、
アドレス・座標軸同期処理部２２から受信されるキーワード検索ウェブデータ又はカテゴリ検索の座標データが付加されたカテゴリデータベースからの検索データの座標間の距離を計算処理することを可能とする機能を有する。
【００７１】
ここで、図６の地図表示画面１０２の１０８Xの地点は、検索者が登録する検索基準点位置で、検索基準点位置移動操作ボタン１０８の操作又は地図画面上の目的の地点をクリックすることにより地図表示画面１０２の中心点を移動させ、検索基準点位置を変更することを可能とする。
【００７２】
また、距離計算処理部２６は、検索者端末２からのカテゴリデータベース１５へのカテゴリ検索又は検索者端末２からのウェブデータベース１９へのキーワード検索において、
検索データの入力時に同時に取得される検索基準点位置１０８Ｘの地図座標データと
アドレス・座標軸同期処理部２２から受信される発信位置の座標データが付加されたキーワード検索ウェブデータ又はカテゴリ検索の座標データが付加されたカテゴリ検索データの発信位置座標データとの座標間の距離を計算処理し、
距離計算処理データを検索処理部１２からウェブ表示処理部６を経由して検索者端末２に送信し、検索者端末２に近距離順のウェブサイト検索結果の一覧表示をするウェブ表示処理を可能とする機能を有する。
【００７３】
また、距離計算処理部２６は、検索者端末２からのカテゴリデータベース１５へのカテゴリ検索又は検索者端末２からのウェブデータベース１９へのキーワード検索において、
検索データの入力時に取得される検索基準点位置１０８Ｘの地図座標データと
アドレス・座標軸同期処理部２２から受信される発信位置の座標データが付加されたキーワード検索ウェブデータ又はカテゴリ検索の座標データが付加されたカテゴリ検索データの発信位置座標データとの座標間の距離を計算処理し、
距離計算処理データを検索処理部１２からウェブ表示処理部６を経由して検索者端末２に送信し、ウェブサイト検索結果一覧表示の表示項目に検索基準点位置１０８Ｘから検索結果のウェブサイトの位置までの距離を数値にて表示するウェブ表示処理を可能とする。
【００７４】
これにより、距離計算処理部２６から検索処理部１２、ウェブ表示処理部６を順次経由して検索者端末２に一覧表示されるキーワード検索結果のページデータ又はカテゴリ検索結果のサイトデータに検索基準点位置から検索結果のデータまでの地点間の距離を、図６の検索結果一覧（１０７C’、１０７B’、１０７A’）のように数値表示することが可能となる。
【００７５】
また、距離計算処理部２６は、検索者端末２からのカテゴリ検索又は検索者端末２からのウェブデータベース１９へのキーワード検索において、
検索データの入力時に同時に取得される検索基準点位置１０８Ｘの地図座標データと
地図画面が表示されるウェブ画面上から入力される検索基準点位置１０８Ｘを基準としたウェブサイトの検索範囲の距離条件である検索範囲距離データと、
アドレス・座標軸同期処理部２２から受信される発信位置の座標データが付加されたキーワード検索ウェブデータ又はカテゴリ検索の座標データが付加されたカテゴリ検索データの座標間の距離を計算処理し、
検索基準点位置１０８Ｘからの距離範囲の条件に応じた検索データを出力し、
検索データを検索処理部１２からウェブ表示処理部６を経由して検索者端末２に送信し、
検索者端末２に検索距離範囲の条件に合致した近距離順のウェブサイト検索結果一覧表示を可能とする。
【００７６】
これにより、検索時に決定した検索者の検索基準点位置を基準に検索範囲距離データを条件としたキーワード検索ページデータ又はカテゴリ検索サイトデータの絞込み検索が可能となり、
距離計算処理部２６から検索処理部１２、ウェブ表示処理部６を順次経由して検索者端末２に、検索範囲距離データの条件に合致した検索結果の一覧表示が図７の検索結果一覧１０７（１０７C’、１０７B’）のように可能となる。
【００７７】
（作用）
本発明に係る地図情報システム連動サーチエンジンサーバーシステム（以下、単に「サーチエンジンサーバーシステム」という。）の構成をさらに明確にするために、図１〜７と、図８〜１４に示すフローチャートを参照して、本発明の作用を説明する。
カテゴリデータベースとウェブデータベースの構築：
登録者端末３からのデータ登録によるカテゴリデータベース１５とウェブデータベース１９の構築について図１〜図３と図８（イ）〜（ヲ）に沿って説明する。
（イ）登録者端末３の登録者（以下、単に「登録者」という。）は、登録者端末３を始動し、表示部にWeb表示部（以下Webブラウザと言う）を表示し作業をスタートする。
【００７８】
（ロ）図２のように登録者のWebブラウザには、位置検索キーワード入力１００aと地名・番地選択入力１００bとサイト発信位置登録ボタン１０１と地図表示画面１０２の機能があり、図１の地図検索入力部７は、位置検索キーワード入力１００aと地名・番地選択入力１００bの機能であり、登録するサイトの場所を、位置検索キーワード入力１００aに地名等のキーワードを入力して地図検索するか、地名・番地選択入力１００bで予め表示される地名や番地を選択することによって登録する場所の地図を検索入力し、
入力された信号は、図１の地図検索入力部７から地図検索処理部８に送信され、地図データベース９のデータから目的の場所の地図データを地図検索処理し、ウェブ表示処理部６を経由して登録者のWebブラウザに登録する場所の地図表示画面１０２を表示する。
【００７９】
なお、登録者は、サーチエンジンサーバーシステムの管理者又は通信ネットワーク上に存在する複数のウェブサイトの運営管理者又は通信ネットワーク上に存在する複数のウェブサイトの推薦者のいずれであっても良い。
【００８０】
（ハ）登録者が登録するウェブサイトの発信位置を図２の１０２Xのように地図表示画面１０２上にマウスのクリックにより位置指定し、マウスのクリックと同時に発信位置が確定され発信位置の地図座標データが取得される。
【００８１】
（ニ）マウスのクリックの位置指定と同時に図３のウェブサイト登録画面が起動するか又は図２のサイト位置登録ボタン１０１をクリックすることによりウェブサイト登録画面が起動し、図３のカテゴリ選択１０３で登録するサイトのカテゴリを選択し、アドレス入力１０４で登録するサイトのURLを入力し、タイトル入力１０４aで登録するサイトのタイトルを入力し、紹介文入力１０４bで登録するサイトの紹介文を入力し、登録者が入力した信号と発信位置の指定によって取得された地図座標データは、図１の登録者端末３から、ウェブ表示処理部６を経由して情報登録部１３へ送信される。
【００８２】
（ホ）情報登録部１３に送信された登録者が入力した信号と発信位置の指定によって取得された地図座標データは、カテゴリ処理部１４に送られ登録者が入力した信号のうちのカテゴリデータが数値変換処理され、（へ）カテゴリ処理されたカテゴリ信号を伴う登録者が登録したデータと発信位置の指定によって取得された地図座標データがカテゴリデータベース部１５に格納され、（ト）カテゴリデータベースの構築が完了する。
【００８３】
（チ）登録者が図３の登録画面から入力した信号のうちウェブサイトのURLは、情報登録部１３からウェブデータ収集処理部１６に送信され、ウェブデータ収集処理部１６でロボット検索エンジンが起動し、インターネット１上に存在するウェブサイト５のHTML等のページデータとそのURLを収集処理し、収集したHTMLに、ハイパーリンクが含まれる場合、更にそのURLからデータを収集するという動作を再帰的に繰り返す収集処理をする。
【００８４】
（リ）語句解析は、ウェブデータ収集処理部１６で収集処理したウェブサイト５のページデータとURLを語句解析部１７で受信し、単語毎での区切りを明確にするため、前処理として、収集したWebサイトのページデータを、単語判定のためにあらかじめ登録された電子辞書ファイルを用い単語毎に分解し、検索の効率化のため、数字→アルファベット→50音の順というような単語の索引を作成する処理を行なう。
【００８５】
なお、単語に分解するとは、例えば、情報収集したWebサイトのページデータ内に「つくばの農業とバイオ研究」という文章がある場合に、「つくば」、「の」、「農業」、「と」、「バイオ」、「研究」というように分解する処理を行なうことである。
【００８６】
（ヌ）重み処理は、語句解析部１７で語句解析されたウェブデータ収集処理部１６からのウェブサイト５のページデータとURLを重み処理部１８で受信し、単語が出現する部分のHTMLタグ等に応じて、あらかじめ定義したHTMLタグ等に対応する単語の重みづけの処理を行いウェブデータベース１９に処理データを送信する。
【００８７】
ここで、単語の重みづけの処理とは、例えば、<TITLE>:タグが15点で<TITLE>:タグ内に記載されたタイトルが「つくば大学」であった場合、「つくば大学」の重みは15点とされ、また、<H1>のタグが8点で「バイオ」の文字が<H1>のタグで指定されている場合、「バイオ」の重みは8点と処理することを意味する。
【００８８】
（ル）ウェブデータベース格納は、ウェブデータ収集処理部１６で収集処理されたウェブサイト５のページデータに語句解析と重み処理を行なったページデータとページデータ毎のURLが付加されたウェブデータベースとしてウェブデータベース１９に構築され、（ヲ）ウェブデータベース構築が完了する。
【００８９】
なお、ウェブデータベース１９は、登録されたサイトが、２０ページから成る場合、検索情報データベースには、２０ページ分の情報が保存されるというように、登録されたサイトの各ウェブページ単位でデータが保存されており、インターネットを介して検索及びWeb表示可能なプログラム言語で構築されたデータベースである。
【００９０】
カテゴリ検索プロセス：
検索者端末２からインターネット１を介して、ウェブサイトのカテゴリ検索を行なうプロセスについて図１と図４と図９の（イ）〜（リ）に沿って説明する。
（イ） 図１のカテゴリデータベース１５には、登録者端末３から登録
された複数のウェブサイトのカテゴリとURLとタイトルと紹介文が登録されており、検索者が検索者端末２からカテゴリ検索により、カテゴリデータベース１５から目的のウェブサイトを検索する場合には、検索者端末のウェブ表示部に表示される図４を検索画面として作業をスタートする。
【００９１】
（ロ）検索者が、検索者端末２のウェブ表示部に表示される図４を検索画面のカテゴリ
索入力１０５にカテゴリの名称を直接入力するか又はカテゴリのメニューから選択することによってカテゴリ検索入力を行なう。
【００９２】
（ハ）カテゴリ検索入力信号は、検索者端末２からインターネット1を介してウェブ表示処理部６、カテゴリ検索部２３、及びカテゴリ処理部１４を順次経由し、カテゴリデータベース１５に送信され、データベース検索の実行がされる。
【００９３】
（二）次に、カテゴリデータベース１５からカテゴリ検索信号に合致したURLとタイトルと発信位置座標データと紹介文等のウェブデータを得、距離計算処理部２６を経由して  
検索処理部１２で一覧表検索処理され、ウェブ表示処理部６を経由して検索者端末２のウェブ表示部に検索結果の一覧表示がなされる。
【００９４】
（ホ）検索結果一覧表示は、図４の検索画面では、検索結果一覧１０７の１順位農業研究所１０７A、２順位つくば大学１０７B、３順位筑波農産１０７Cのように検索者端末２のウェブ表示部に表示され完了する。
【００９５】
（へ）カテゴリデータベース１５から検索されたURLとタイトルと発信位置座標データと紹介文等のウェブデータを距離計算処理部２６に送信し、
距離計算処理部２６でURLとURLの発信位置座標データを別途出力し、位置イメージ処理部１０に送信する。
【００９６】
（ト）次に位置イメージ処理部１０でURLの発信位置座標データに合致する地図画面上の地点にイメージ出力を可能とする処理を行なう。
【００９７】
（チ）位置イメージ処理部１０で位置イメージ処理されたデータは、地図検索処理部８からウェブ表示処理部６を経由して検索者端末３のウェブ表示部の地図表示画面１０２上に発信位置として地図表示される。
【００９８】
（リ）地図表示は、図４の検索画面の地図表示画面１０２の１０２A、１０２B、１０２Cのようにイメージとして表示され完了する。
【００９９】
なお、図４の検索画面の地図表示画面１０２の１０２Aは、（ホ）における検索結果一覧１０７の１順位農業研究所１０７Aの発信位置イメージであり、１０２Bは２順位つくば大学１０７Bの発信位置イメージであり、１０２Cは３順位筑波農産１０７Ｃの発信位置イメージである。
【０１００】
キーワード検索プロセス：
検索者端末２からのインターネット１を介して、ウェブサイトのキーワード検索を行なうプロセスについて図１と図５と図１０の（イ）〜（ヌ）に沿って説明する。
（イ） 図１のウェブデータベース１９には、ウェブデータ収集処理部１６で収集処理さ
れたウェブサイト５のページデータに語句解析と重み処理を行なったページデータにページデータ毎のURLが付加されたウェブページデータが登録されており、検索者が検索者端末２からキーワード検索により、目的のウェブページを検索する場合には、検索者端末のウェブ表示部に表示される図５を検索画面として作業をスタートする。
【０１０１】
（ロ）検索者が、キーワード検索入力１０６に検索する文字を入力する。本作用説明では、「バイオ」ということばを入力した事例で説明する。
【０１０２】
（ハ）入力された検索キーワードは、検索者端末２からウェブ表示処理部６と検索処理部１２を経由してキーワード検索部２０へ送信され、ウェブデータベース１９を用いて検索が実行され、キーワード「バイオ」に合致したウェブページの検索結果が出力される。
【０１０３】
（ニ）次に検索結果が検索結果重み計算処理部２１に送信され、検索結果である各ペ
ージ内の個々の該当キーワードの重みをページごとに合計しページ全体の重み計算処理を行なう。
【０１０４】
（ホ）検索結果重み計算処理部２１で重み計算処理された検索ページデータがアドレス・座標軸同期処理部２２に送信され、アドレス・座標軸同期処理部２２でその検索ページのアドレスとカテゴリデータベース１５の検索ページのアドレスに対応するサイト発信位置座標データとを同期処理することによって、重み計算処理された検索ページデータにそのサイトの発信位置の座標データが付加される。
【０１０５】
（へ）次に、検索結果重み計算処理部２１で重み計算処理された検索ページデータは、アドレス・座標軸同期処理部２２とカテゴリ検索部２３と距離計算処理部２６に順次送信され、検索処理部１２とウェブ表示処理部６を経由して検索者端末２に重み計算処理における検索確率順の検索結果ページ一覧を表示する。なお、このとき、カテゴリ検索部２３を経由するが、キーワード検索の他にカテゴリ検索の選択がされている場合にはカテゴリによる検索絞込みが行なわれた検索確率順の検索結果ページ一覧を表示する。
【０１０６】
ここで、「バイオ」というキーワードでウェブデータベース１９への検索が実行され、「農業研究所」と「筑波農産」と「つくば大学」が検索結果として得られ、各検索されたページ内の「バイオ」というキーワードの重みを合計し、重み処理計算で「農業研究所」が１０７点で、「筑波農産」が２０点で、「つくば大学」が１０点だった場合には、図５の検索結果一覧１０７のように１順位農業研究所１０７Aa、２順位筑波農産１０７Cc、３順位つくば大学１０７Bbのように検索者端末２のウェブ表示部に表示され(ト)完了する。
【０１０７】
（チ）重み計算処理された検索ページデータにアドレス・座標軸同期処理部２２でそのサイトの発信位置の座標データが付加された検索ページデータは、カテゴリ検索部２３および距離計算処理部２６を経由して位置イメージ処理部１０に送信され、位置イメージ処理部１０で検索ページの発信位置のイメージ表示と検索確率イメージを地図表示イメージ処理する。
【０１０８】
（リ）次に、地図表示イメージ処理されたデータが地図検索処理部８に送信され、地図検索処理され、ウェブ表示処理部６を経由して検索者端末２のWebブラウザに地図表示される。
【０１０９】
（ヌ）地図表示は、図５の検索画面の地図表示画面１０２の１０２Aa、１０２Bb、１０２Ccのように検索結果の重みが確率イメージとして表示され完了する。
【０１１０】
ここで、図５の事例では、検索結果の重みの確率イメージをイメージの大きさによって表現しているがイメージの色相の相違やイメージの数値表示やグラフなどの度数表示
で表現することもある。
【０１１１】
なお、図５の検索画面の地図表示画面１０２の１０２Aaは、検索結果一覧１０７の１順位農業研究所１０７Aaの発信位置イメージであり、１０２Ccは２順位筑波農産１０７Ccの発信位置イメージであり、１０２Bbは３順位つくば大学１０７Bbの発信位置イメージである。
【０１１２】
また、本説明のキーワード検索プロセスに、カテゴリ検索を追加する場合、（チ）において、カテゴリ検索部２３での選択カテゴリによる絞り込みの処理が追加される。
【０１１３】
距離表示・近距離情報検索プロセス：
検索者端末２からのインターネット１を介して、ウェブサイトの距離表示・近距離検索を行なうプロセスについて図１と図６と図１１の（イ）〜（ル）に沿ってカテゴリデータベース１５へのカテゴリ検索の事例で説明する。
（イ）図１のカテゴリデータベース１５には、検索者端末２からカテゴリ検索により、カテゴリデータベース１５から目的のウェブサイトを検索する場合に、検索者が予め地図上に登録した検索基準点位置からの近距離順にウェブサイト検索結果が一覧表示されるとともに、ウェブサイト検索結果一覧表示の表示項目に検索者の位置地点から前記検索結果までの距離を数値表示することを可能とする図６を検索画面として作業をスタートする。
【０１１４】
（ロ）検索者が、検索者端末２から地図情報システム部１１へ検索者の検索基準点位置が表示される地点の地図検索を行い、地図検索処理部８からウェブ表示処理部６を経由して、検索者端末２のウェブ表示部に地図表示画面１０２を出力表示する。
【０１１５】
（ハ）このとき、地図表示画面１０２において、中心に示されている場所が検索基準点位置となり、検索実行時に検索者端末２からウェブ表示処理部６、検索処理部１２、カテゴリ検索部２３を経て、距離計算処理部２６に送られる。
【０１１６】
ここで、検索基準点位置を変更調整する場合には、検索基準点位置移動操作ボタン１０８により、中心点を前後・左右に操作し変更するか又は地図表示画面１０２の基準点とする目標の地点をクリックすることにより中心点移動を可能とし検索基準点位置を登録することが可能である。
【０１１７】
（二）次に、図６のカテゴリ検索入力１０５から検索するカテゴリ入力を行い、入力した信号は、検索者端末２からウェブ表示処理部６、検索処理部１２を経て、カテゴリ検索部２３へ送信される。
【０１１８】
（ホ）カテゴリ検索部２３では、選択されたカテゴリ情報が、カテゴリ処理部１４を経由してカテゴリデータベース１５へ送信され、カテゴリの一致した発信位置座標情報およびウェブサイトアドレスが距離計算処理部２６へ送信される。
【０１１９】
（へ）ここで、距離計算処理部２６では、検索時に指定された検索基準点位置１０８Xの位置座標とカテゴリ検索結果であるウェブサイト５の座標との距離計算処理を行い、検索処理部１２及び位置イメージ処理部１０に送信する。
【０１２０】
（ト）検索処理部１２に送信されたデータは、検索処理部１２で近距離順表示処理と距離数値表示処理され、ウェブ表示処理部６を経由して、検索者端末２のウェブ表示画面に検索結果を一覧表示する。
【０１２１】
（チ）検索結果一覧表示は、図６の検索画面では、検索結果一覧１０７の「１順位筑波農産  距離１ｋｍ」１０７Ｃ’、「２順位つくば大学  距離３ｋｍ」１０７B’、「３順位農業研究所  距離６ｋｍ」１０７A’のように検索基準点位置１０８Xと検索サイトとの近距離順に一覧表示され、また、検索データのデータ項目に検索基準点位置１０８Xから各検索サイトまでの距離が数値表示され検索者端末２のウェブ表示部に一覧表示され完了する。
【０１２２】
なお、ここで１順位筑波農産の距離１ｋｍ１０７C’は、地図表示画面１０２の筑波農産の発信位置座標１０２C’と検索基準点位置１０８Xの距離であり、２順位つくば大学の距離３ｋｍ１０７B’は、同様につくば大学の発信位置座標１０２B’と検索基準点位置１０８Xの距離である。
【０１２３】
（リ）別途、（ホ）において得られた位置情報データにより、位置イメージ処理部１０で座標にあった地図表示画面１０２上の地点にイメージ出力を可能とする処理を行なう。
【０１２４】
（ヌ）位置イメージ処理部１０で位置イメージ処理されたデータは、地図検索処理部８からウェブ表示処理部６を経由して検索者端末３のウェブ表示部の地図表示画面１０２上に発信位置として地図表示される。
【０１２５】
（ル）地図表示は、図６の検索画面の地図表示画面１０２の１０２A’、１０２B’、１０２C’のようにイメージとして表示され完了する。
【０１２６】
なお、本近距離検索プロセスの作用説明では、カテゴリデータベース１５へのカテゴリ検索の事例で説明したが、ウェブデータベース１９へのキーワード検索においても同様にウェブページ検索結果一覧表示において、検索者が検索時に指定した検索基準点位置からの近距離順にウェブサイト検索結果が一覧表示されるとともに、ウェブページ検索結果一覧表示の表示項目に検索者の位置地点から前記検索結果までの距離を数値表示することが可能である。
【０１２７】
指定距離範囲内検索プロセス：
検索者端末２からのインターネット１を介して、ウェブサイトの指定距離範囲内検索を行なうプロセスについて図１と図７と図１２の（イ）〜（ル）に沿ってカテゴリデータベース１５へのカテゴリ検索の事例で説明する。
（イ）図１のカテゴリデータベース１５には、検索者端末２からカテゴリ検索により、カテゴリデータベース１５から目的のウェブサイトを検索する場合に、検索者が検索時に指定した検索基準点位置からの検索の距離範囲を指定することにより、指定距離範囲内のウェブサイト検索結果が一覧表示されることを可能とする図７を検索画面として作業をスタートする。
【０１２８】
（ロ）検索者が、検索者端末２から地図情報システム部１１へ検索者の検索基準点位置
が表示される地点の地図検索を行い、地図検索処理部８からウェブ表示処理部６を経由して、検索者端末２のWebブラウザに地図表示画面１０２を出力表示する。
【０１２９】
（ハ）このとき、地図表示画面１０２において、中心に示されている場所が検索基準点位置となり、検索実行時に検索者端末２からウェブ表示処理部６、検索処理部１２、カテゴリ検索部２３を経て、距離計算処理部２６に送られる。
【０１３０】
（二）次に検索画面の検索範囲距離指定入力フォーム１０９に、検索したいウェブサイトの検索基準点位置からの検索範囲の希望距離を図７の検索範囲距離指定入力フォーム１０９のように５kmと入力すると、指定検索距離範囲データが検索者端末２からウェブ表示処理部６、検索処理部１２およびカテゴリ検索部２３を順次経由し距離計算処理部２６に送られる。
【０１３１】
（ホ）ここで、別途、図６のカテゴリ検索入力１０５から検索カテゴリの入力を行い、入力したカテゴリ情報は検索者端末２からウェブ表示処理部６、検索処理部１２、カテゴリ検索部２３、カテゴリ処理部１４を順次経由して、カテゴリデータベース１５から、入力されたカテゴリに適合する発信位置座標データ、ウェブサイトアドレスの検索データを出力し、距離計算処理部２６へ送られる。
【０１３２】
（へ）更に、距離計算処理部２６では、検索時に指定された検索基準点位置１０８Xの位置座標データ、指定検索距離範囲データ（５ｋｍ）およびカテゴリ検索結果であるウェブサイトの座標データとの距離計算処理を行い、指定検索距離範囲データの距離条件に合致する検索ウェブサイトデータを、検索処理部１２及び位置イメージ処理部１０に送信する。
【０１３３】
（ト）検索処理部１２に送信されたデータは、検索処理部１２で近距離順表示処理と距離数値表示処理され、ウェブ表示処理部６を経由して、検索者端末２のWebブラウザの表示画面に検索結果を一覧表示する。
【０１３４】
（チ）検索結果一覧表示は、図７の検索画面では、検索結果一覧１０７の「１順位筑波農産  距離１ｋｍ」１０７Ｃ’、「２順位つくば大学  距離３ｋｍ」１０７B’のように検索基準点位置１０８Xと各検索サイトとの近距離順に表示され、また、検索データのデータ項目に検索基準点位置１０８Xから各検索サイトまでの距離が数値表示され検索者端末２のウェブ表示部に一覧表示し（リ）完了する。
【０１３５】
なお、ここで、農業研究所は、近距離検索プロセスの図６では、「３順位  農業研究所  距離６ｋｍ」として検索結果一覧１０７に表示されるが、指定距離範囲内検索プロセスの図７では、指定検索距離範囲を５ｋｍと指定しているため１ｋｍの距離オーバーで検索結果一覧１０７から除外される。
【０１３６】
別途、（へ）において距離計算処理部２６から位置イメージ処理部１０へ送信されたウェブサイトURLとウェブサイトURLとともに登録された発信位置座標データにより、位置イメージ処理部１０で座標にあった地図表示画面１０２上の地点にイメージ出力を可能とする処理を行なう。
【０１３７】
（リ）位置イメージ処理部１０で位置イメージ処理されたデータは、地図検索処理部８からウェブ表示処理部６を経由して検索者端末２のウェブ表示部の地図表示画面１０２上に発信位置として地図表示される。
【０１３８】
（ヌ）地図表示は、図６の検索画面の地図表示画面１０２の１０２B’、１０２C’のようにイメージとして表示され完了（ル）する。
【０１３９】
なお、本指定距離範囲内検索プロセスの作用説明では、カテゴリデータベース１５へのカテゴリ検索の事例で説明したが、ウェブデータベース１９へのキーワード検索においても同様にウェブページ検索結果一覧表示において、
目的のウェブサイトを検索する場合に、検索者が検索時に指定した検索基準点位置１０８Ｘからの検索の距離範囲を指定することにより、指定距離範囲内のウェブサイト検索結果を一覧表示することが可能である。
【０１４０】
特定範囲指定地図境界線検索プロセス：
検索者端末２からインターネット１を介して、ウェブサイトの特定範囲指定地図境界線検索を行なうプロセスについて図１と図７と図１３の（イ）〜（ト）に沿って説明する。
【０１４１】
（イ） 図１のカテゴリデータベース１５から検索者が検索者端末２のウェブブラウザに表示される地図表示画面１０２の特定範囲を指定し、地図境界線検索をする場合には、検索者端末のウェブ表示部に表示される図７を検索画面として作業をスタートする。
【０１４２】
（ロ）図７のカテゴリ検索入力１０５に検索するカテゴリ入力をする。
【０１４３】
（ハ）別途、地図表示画面１０２上にて検索目標とする特定の地域範囲をマウス操作により範囲指定する。
【０１４４】
（ニ）地図表示画面１０２上の範囲指定された範囲をクリックするか又は範囲指定後にキボードのエンターキーを押すことにより、カテゴリ検索入力信号と特定範囲指定地図境界線データがウェブ表示処理部６と検索処理部１２を順次経由しカテゴリ検索部２３に送信され、カテゴリデータベース１５からカテゴリ検索入力信号に適合した発信位置座標データを付加したウェブデータが検索され、検索されたウェブデータと特定範囲指定地図境界線データが境界線判定処理部２４に送信される。
【０１４５】
（ホ）境界線判定処理部２４でカテゴリ検索されたウェブデータの発信位置座標データを特定範囲指定地図境界線データを条件として適合判定し、条件にあったカテゴリ検索ウェブデータを出力する。
【０１４６】
（ヘ）出力されたカテゴリ検索ウェブデータは、距離計算処理部２６、検索処理部１２、ウェブ表示処理部６を順次経由して検索者端末２のウェブ表示部に一覧表示する。
（ト）検索結果一覧表示は、図７の検索画面では、検索結果一覧１０７の「１順位筑波農産  距離１ｋｍ」１０７Ｃ’、「２順位つくば大学  距離３ｋｍ」１０７B’のように検索基準点位置１０８Xと各検索サイトとの近距離順に表示され完了する。本表示事例では、近距離順の表示と検索表示一覧項目に検索基準点位置１０８Xからの距離表示がされているが、本特定範囲指定地図境界線検索プロセスにおける距離順の表示と検索表示一覧項目の距離表示のプロセスは、前記距離表示・近距離情報検索プロセスと同様である。
【０１４７】
地域名選択地図境界線検索プロセス：
検索者端末２からインターネット１を介して、ウェブサイトの地域名指定地図境界線検索を行なうプロセスについて図１と図７と図１４の（イ）〜（チ）に沿って説明する。
【０１４８】
（イ） 図１のカテゴリデータベース１５から検索者が検索者端末２のウェブブラウザに表
示されるウェブ検索画面において地域名を指定し、地図境界線検索をする場合には、検索者端末のウェブ表示部に表示される図７を検索画面として作業をスタートする。
【０１４９】
（ロ）図７のカテゴリ検索入力１０５に検索するカテゴリ入力をする。
【０１５０】
（ハ）別途、検索画面に表示される地域名選択検索１１１の１つの地域名を選択入力する。
図１では、地域名選択検索１１１の「つくば１丁目」を選択し、「つくば１丁目」の地図境界線は、地図表示画面１０２の１１０の点線枠として説明する。
【０１５１】
（ニ）地域名の選択入力と同時に地域名選択入力信号とカテゴリ選択入力信号がウェブ表示処理部６と検索処理部１２を順次経由しカテゴリ検索部２３に送信され、カテゴリデータベース１５からカテゴリ検索入力信号に適合した発信位置座標データを付加したウェブデータが検索され、検索されたウェブデータと地域名選択入力信号が境界線判定処理部２４に送信される。
【０１５２】
（ホ）境界線判定処理部２４で地域名選択入力信号により境界線データベース２５から地域名に適合する境界線座標データが出力され、カテゴリ検索されたウェブデータの発信位置座標データが地域名地図境界線データを条件として適合判定され、条件にあったカテゴリ検索ウェブデータを出力する。
【０１５３】
（ヘ）出力されたカテゴリ検索ウェブデータは、距離計算処理部２６、検索処理部１２、ウェブ表示処理部６を順次経由して検索者端末２のウェブ表示部に一覧表示する。
（ト）検索結果一覧表示は、図７の検索画面では、「つくば１丁目」の地域名境界線１１０の点線枠内のウェブデータの検索結果一覧１０７として「１順位筑波農産  距離１ｋｍ」１０７Ｃ’、「２順位つくば大学  距離３ｋｍ」１０７B’のように検索基準点位置１０８Xと各検索サイトとの近距離順に表示され完了する。本表示事例では、近距離順の表示と検索表示一覧項目に検索基準点位置１０８Xからの距離表示がされているが、地域名選択地図境界線検索プロセスにおける距離順の表示と検索表示一覧項目の距離表示のプロセスは、前記距離表示・近距離情報検索プロセスと同様である。
以上、本発明を実施するための最良の形態を実施例に基づいて説明したが、本発明はこの
ような実施例に限定されるものではなく、特許請求の範囲に記載された技術的事項の範囲内で、テキストのウェブデータばかりでなく映像や音声等様々なデータベースのサーチエンジンシステムとして実施例があることは言うまでもない。
【産業上の利用可能性】
【０１５４】
本発明に係る地図情報システム連動サーチエンジンサーバーシステムは、以上のように登録者が、インターネット等の通信回線を利用し、ウェブ上に表示される地図検索システムの地図表示画面１０２上から位置指定し、検索対象となるウェブサイトのアドレスを登録可能とし、その登録されたアドレスに対してサーチエンジンが収集したデータをデータベース化して、検索者がそのデータベースを検索する場合に、検索結果が検索ヒットスコア順に検索されると同時にそのウェブサイト発信位置が地図表示画面１０２上に表示され、その位置上にその重みの評価基準に合わせたイメージデータが表示されることを可能とし、また、検索者が検索時に指定した検索基準点位置から検索されたウェブサイト発信位置までの距離が検索結果一覧に表示されること及び登録した検索基準点位置から検索距離範囲条件として検索すること、地図表示画面１０２上の特定範囲の境界線座標データを条件として検索することを可能とし、全国レベルの検索エンジンや都道府県や市町村等地域を限定した検索エンジンや特定の業種業態をターゲットとした検索エンジンばかりでなく、企業グループや企業内のイントラネット上における検索システムとして適用することができる。
【図面の簡単な説明】
【０１５５】
【図１】本発明の地図情報システム連動サーチエンジンサーバーシステムの実施例１の全体構成を示すブロック図である。
【図２】実施例１において、登録者が地図検索し、地図表示画面に登録するサイトの発信位置を登録するウェブ表示画面の図である。
【図３】実施例１において、登録者が登録するウェブサイトのカテゴリ選択とアドレスとタイトルと紹介文を入力するウェブ表示画面の図である。
【図４】実施例１において、検索者がカテゴリ検索をし、検索結果一覧表示と地図表示画面上に検索結果の発信位置をイメージ表示するウェブ表示画面の図である。
【図５】実施例１において、検索者がデータベース検索をし、重み計算処理された検索結果一覧表示と地図表示画面上に検索結果の発信位置イメージと重み評価されたイメージを表示するウェブ表示画面の図である。
【図６】実施例１において、検索者が検索基準点位置決定の入力とカテゴリ検索をし、検索基準点位置決定からの距離表示を可能とする検索結果一覧表示と地図表示画面上に検索結果の発信位置をイメージ表示するウェブ表示画面の図である。
【図７】実施例１において、検索者が検索基準点位置の決定、検索範囲距離指定入力およびカテゴリ検索を行い、検索範囲の距離条件に合致した検索結果一覧のテキスト表示画面と、地図表示画面上への検索結果の発信位置をイメージ表示するウェブ表示画面と、特定範囲指定地図境界線検索と地域名選択地図境界線検索を可能とする検索画面とウェブ表示画面の図である。
【図８】実施例１の検索データベース構築プロセスのフローチャートである。
【図９】実施例１のカテゴリ検索プロセスのフローチャートである。
【図１０】実施例１のキーワード検索プロセスのフローチャートである。
【図１１】実施例１の距離表示・近距離情報検索プロセスのフローチャートである。
【図１２】実施例１の距離範囲内検索プロセスのフローチャートである。
【図１３】実施例１の特定範囲指定地図境界線検索プロセスのフローチャートである。
【図１４】実施例１の地域名選択地図境界線検索プロセスのフローチャートである。
【符号の説明】
【０１５６】
１  インターネット 
２  複数の検索者端末 
３  複数の登録者端末 
４  サーチエンジンサーバー 
５  ウェブサイト 
６  ウェブ表示処理部 
７  地図検索入力部
８  地図検索処理部
９  地図データベース
１０  位置イメージ処理部 
１１  地図情報システム部
１２  検索処理部
１３  情報登録部
１４  カテゴリ処理部 
１５  カテゴリデータベース
１６  ウェブデータ収集処理部 
１７  語句解析部
１８  重み処理部 
１９  ウェブデータベース
２０  キーワード検索部 
２１  検索結果重み計算処理部
２２  アドレス・座標軸同期処理部
２３  カテゴリ検索部
２４  境界線判定処理部
２５  境界線データベース
２６  距離計算処理部
１００a  位置検索キーワード入力
１００b  地名・番地選択入力
１０１  サイト発信位置登録ボタン
１０２  地図表示画面
１０２Ｘ  サイト発信位置 
１０２A  農業研究所発信地点イメージ
１０２B  つくば大学発信地点イメージ
１０２C  筑波農産発信地点イメージ
１０２A’農業研究所発信地点イメージ
１０２B’つくば大学発信地点イメージ
１０２C’筑波農産発信地点イメージ
１０２Aa  農業研究所検索結果重み評価イメージ
１０２Bb  つくば大学検索結果重み評価イメージ
１０２Cc  筑波農産検索結果重み評価イメージ 
１０３  カテゴリ選択
１０４  アドレス入力
１０４a  タイトル入力
１０４b  紹介文入力
１０５  カテゴリ検索入力
１０６  キーワード検索入力 
１０７  検索結果一覧 
１０７A  検索結果一覧の農業研究所
１０７B  検索結果一覧のつくば大学
１０７C  検索結果一覧の筑波農産
１０７Aa  重み計算処理検索結果一覧の農業研究所
１０７Bb  重み計算処理検索結果一覧のつくば大学
１０７Cc  重み計算処理検索結果一覧の筑波農産
１０７A’  検索結果一覧距離表示の農業研究所
１０７B’  検索結果一覧距離表示のつくば大学
１０７C’  検索結果一覧距離表示の筑波農産 
１０８  検索基準点位置移動操作ボタン 
１０８Ｘ  検索基準点位置
１０９  検索範囲距離指定入力フォーム
１１０  特定範囲及び地域名地図境界線の点線枠
１１１  地域名選択検索
【図１】
2006228072.tif 000003
【図２】
2006228072.tif 000004
【図３】
2006228072.tif 000005
【図４】
2006228072.tif 000006
【図５】
2006228072.tif 000007
【図６】
2006228072.tif 000008
【図７】
2006228072.tif 000009
【図８】
2006228072.tif 000010
【図９】
2006228072.tif 000011
【図１０】
2006228072.tif 000012
【図１１】
2006228072.tif 000013
【図１２】
2006228072.tif 000014
【図１３】
2006228072.tif 000015
【図１４】
2006228072.tif 000016